(57)【要約】  本発明は、広角映像提供方法に関するものであり、第１のカメラモジュールが第１の領域を撮影した第１の領域映像を生成し、第２のカメラモジュールが第１の領域に隣接する第２の領域を撮影した第２の領域映像を生成する撮影ステップと；歪み補正部が前記第１及び第２の領域映像をそれぞれ歪み補正する歪み補正ステップと；位相差補正部が前記歪み補正した第１及び第２の領域映像をそれぞれ位相差補正する位相差補正ステップと；重畳補正部が前記位相差補正した第１及び第２の領域映像を互いに隣接するように重ね合わせて補正する重畳補正ステップと；色補正部が前記重ね合わせて補正した第１及び第２の領域画像を色補正する色補正ステップと；を含む。【選択図】  図１
2021519954.tif 000002
【特許請求の範囲】
【請求項１】
第１のカメラモジュールが第１の領域を撮影した第１の領域映像を生成し、第２のカメラモジュールが第１の領域に隣接する第２の領域を撮影した第２の領域映像を生成する撮影ステップと；
歪み補正部が前記第１及び第２の領域映像をそれぞれ歪み補正する歪み補正ステップと；
位相差補正部が前記歪み補正した第１及び第２の領域映像をそれぞれ位相差補正する位相差補正ステップと；
重畳補正部が前記位相差補正した第１及び第２の領域映像を互いに隣接するように重ね合わせて補正する重畳補正ステップと；
色補正部が前記重ね合わせて補正した第１及び第２の領域画像を色補正する色補正ステップと；
を含む広角映像提供方法。
【請求項２】
前記歪み補正ステップでは、
前記歪み補正部が前記第１及び第２の領域映像のそれぞれの広角歪みを補正した後、遠近歪みを補正し、
前記位相差補正ステップでは、前記位相差補正部が前記第１及び第２の領域映像の水平基準点を抽出した後、座標回転移動を行い、前記第１及び第２の領域映像の位置を調整し、
前記重畳補正ステップでは、前記重畳補正部が前記第１及び第２の領域映像をそれぞれサイズ調整した後、座標移動して重なり合うように位置調整し、
前記色補正ステップでは、前記色補正部が前記重ね合わせて補正した重畳映像の明るさ及び色収差を調整する請求項１に記載の広角映像提供方法。
【請求項３】
前記撮影ステップは、
前記第１及び第２のカメラモジュールが互いになす角度を調整するステップ
をさらに含む請求項１に記載の広角映像提供方法。
【請求項４】
第１のカメラモジュールが第１の領域を撮影した第１の領域映像を生成し、第２のカメラモジュールが第１の領域の右側に隣接する第２の領域を撮影した第２の領域映像を生成し、第３のカメラモジュールが前記第１の領域の下側に隣接する第３の領域を撮影した第３の領域映像を生成し、第４のカメラモジュールが前記第２の領域の下側及び前記第３の領域の右側に隣接する第４の領域を撮影した第４の領域映像を生成する撮影ステップと；
歪み補正部が前記第１、第２、第３及び第４の領域映像をそれぞれ歪み補正する歪み補正ステップと；
位相差補正部が前記歪み補正した第１、第２、第３及び第４の領域映像をそれぞれ位相差補正する位相差補正ステップと；
重畳補正部が前記位相差補正した第１、第２、第３及び第４の領域映像を互いに隣接するように重ね合わせて補正する重畳補正ステップと；
色補正部が前記重ね合わせて補正した第１、第２、第３及び第４の領域映像を色補正する色補正ステップと；
を含む広角映像提供方法。
【請求項５】
前記歪み補正ステップでは、前記歪み補正部が前記第１、第２、第３及び第４の領域映像のそれぞれの広角歪みを補正した後、遠近歪みを補正し、
前記位相差補正ステップでは、前記位相差補正部が前記第１、第２、第３及び第４の領域映像の水平基準点を抽出した後、座標回転移動を行い、前記第１、第２、第３及び第４の領域映像の位置を調整し、前記重畳補正ステップでは、前記重畳補正部が前記第１、第２、第３及び第４の領域映像をそれぞれサイズ調整した後、座標移動して重なり合うように位置調整し、前記色補正ステップでは、前記色補正部が前記重ね合わせて補正した重畳映像の明るさ及び色収差を調整する請求項４に記載の広角映像提供方法。
【請求項６】
前記撮影ステップは、
前記第１、第２、第３及び第４のカメラモジュールが互いになす角度を調整するステップ
をさらに含む請求項４に記載の広角映像提供方法。
【請求項７】
第１のカメラモジュールが第１の領域を撮影した第１の領域映像を生成し、第２のカメラモジュールが第１の領域の右側に隣接する第２の領域を撮影した第２の領域映像を生成し、第３のカメラモジュールが前記第１の領域の反対側である第３の領域を撮影した第３の領域映像を生成し、第４のカメラモジュールが前記第２の領域の反対側であり、前記第３の領域の右側に隣接する第４の領域を撮影した第４領域映像を生成する撮影ステップと；
歪み補正部が前記第１、第２、第３及び第４の領域映像をそれぞれ歪み補正する歪み補正ステップと；
位相差補正部が前記歪み補正した第１、第２、第３及び第４の領域映像をそれぞれ位相差補正する位相差補正ステップと；
重畳補正部が前記位相差補正した第１、第２、第３及び第４の領域映像を互いに隣接するように重ね合わせて補正する重畳補正ステップと；
色補正部が前記重ね合わせて補正した第１、第２、第３及び第４の領域映像を色補正する色補正ステップと；
を含む広角映像提供方法。
【請求項８】
前記歪み補正ステップでは、前記歪み補正部が前記第１、第２、第３及び第４の領域映像のそれぞれの広角歪みを補正した後、遠近歪みを補正し、
前記位相差補正ステップでは、前記位相差補正部が前記第１、第２、第３及び第４の領域映像の水平基準点を抽出した後、座標回転移動を行い、前記第１、第２、第３及び第４の領域映像の位置を調整し、
前記重畳補正ステップでは、前記重畳補正部が前記第１、第２、第３及び第４の領域映像をそれぞれサイズ調整した後、座標移動して重なり合うように位置調整し、
前記色補正ステップでは、前記色補正部が前記重ね合わせて補正した重畳映像の明るさ及び色収差を調整する請求項７に記載の広角映像提供方法。
【請求項９】
前記撮影ステップは、
前記第１及び第２のカメラモジュールが互いになす角度を調整するステップと；
前記第３及び第４のカメラモジュールが互いになす角度を調整するステップと；
をさらに含む請求項７に記載の広角映像提供方法。
【発明の詳細な説明】
【技術分野】
【０００１】
本発明の実施形態は、広角映像提供方法に関するものである。
【背景技術】
【０００２】
一般に、ＣＣＴＶカメラは、一般家庭の防犯用として使用するために、またはデパート、銀行、展示場などの場所では、侵入、盗難や火災などを事前に予防し、もし事故が発生しても迅速に対応するために設置される。
【０００３】
特に、このようＣＣＴＶカメラシステムは、特殊な目的のために特定の場所に設置され、すべての状況を監視するために、遠隔地からの映像をモニタリングするための目的で使用されるものであり、前記ＣＣＴＶカメラは、可能な広い範囲を監視することができるよう、通常は、建物の壁面上部や天井に設置されて特定の方向に向かってセッティングされているのが一般的である。
【０００４】
しかしながら、このようにＣＣＴＶなどに使用されるカメラは、一般的に画角が３０°〜７０°であり、撮影範囲が限られているため、死角があり、このような死角を減らすために、魚眼レンズ（ｆｉｓｈ−ｅｙｅ  ｌｅｎｓ）などの広角レンズ（ｗｉｄｅ−ａｎｇｌｅ  ｌｅｎｓ）を使用している。
【０００５】
しかし、広角レンズ（ｗｉｄｅ−ａｎｇｌｅ  ｌｅｎｓ）を搭載したカメラは、標準レンズを用いたときに比べて、焦点距離が短く、視野（Ｆｉｅｌｄ  Ｏｆ  Ｖｉｅｗ：Ｆｏｖ）が広いという特性があり、取得した映像に放射状の歪み（ｒａｄｉａｌ  ｄｉｓｔｏｒｔｉｏｎ）が発生してオブジェクトの歪み現象が発生する。
【０００６】
また、従来技術によるパノラマカメラが撮影した映像は、位置歪みが発生するという問題がある。
【発明の概要】
【発明が解決しようとする課題】
【０００７】
本発明は、前述した問題を解決するために案出されたものであり、本発明に係る広角映像提供システムは、死角がなく、広角歪み、遠近歪み、明暗差及び色収差のない広角映像を提供し、且つ、歪み（歪曲）のない広角映像を提供して映像をＶＲ形式で出力することができ、映像を縮小または拡大しても歪みが発生しないようにする。
【０００８】
また、本発明に係る広角映像提供システムは、モバイル用カメラ、ＣＣＴＶ用カメラ、Ｗｅｂカメラなどの様々なカメラモジュールを用い、専用プログラムまたは専用モバイルアプリケーションを使用して補正することにより広角映像を提供しようとする。
【０００９】
また、本発明に係る広角映像提供システムは、自動車、ドローン、モバイル、カメラ、船舶、ロケット、医療、防衛、家庭、レジャーなどのカメラが使用される産業全般に適用可能な広角映像提供方法及びシステムを提供しようとする。
【課題を解決するための手段】
【００１０】
前述した問題を解決するための本発明の一実施形態に係る広角映像提供方法は、第１のカメラモジュールが第１の領域を撮影した第１の領域映像を生成し、第２のカメラモジュールが第１の領域に隣接する第２の領域を撮影した第２の領域映像を生成する撮影ステップと；歪み補正部が前記第１及び第２の領域映像をそれぞれ歪み補正する歪み補正ステップと；位相差補正部が前記歪み補正した第１及び第２の領域映像をそれぞれ位相差補正する位相差補正ステップと；重畳補正部が前記位相差補正した第１及び第２の領域映像を互いに隣接するように重ね合わせて補正する重畳補正ステップと；色補正部が前記重ね合わせて補正した第１及び第２の領域画像を色補正する色補正ステップと；を含む。
【００１１】
本発明の他の一実施形態によれば、前記歪み補正ステップでは、前記歪み補正部が前記第１及び第２の領域映像のそれぞれの広角歪みを補正した後、遠近歪みを補正し、前記位相差補正ステップでは、前記位相差補正部が前記第１及び第２の領域映像の水平基準点を抽出した後、座標回転移動を行い、前記第１及び第２の領域映像の位置を調整し、前記重畳補正ステップでは、前記重畳補正部が前記第１及び第２の領域映像をそれぞれサイズ調整した後、座標移動して重なり合うように位置調整し、前記色補正ステップでは、前記色補正部が前記重ね合わせて補正した重畳映像の明るさ及び色収差を調整することができる。
【００１２】
本発明の他の一実施形態によれば、前記撮影ステップでは、前記第１のカメラモジュール及び前記第２のカメラモジュールのそれぞれの撮影面を、互いに１１０°〜１３５°の角度で配置して前記第１及び第２の領域映像を生成することができる。
【００１３】
また、本発明の他の一実施形態に係る広角映像提供方法は、第１のカメラモジュールが第１の領域を撮影した第１の領域映像を生成し、第２のカメラモジュールが第１の領域の右側に隣接する第２の領域を撮影した第２の領域映像を生成し、第３のカメラモジュールが前記第１の領域の下側に隣接する第３の領域を撮影した第３の領域映像を生成し、第４のカメラモジュールが前記第２の領域の下側及び前記第３の領域の右側に隣接する第４の領域を撮影した第４の領域映像を生成する撮影ステップと；歪み補正部が前記第１、第２、第３及び第４の領域映像をそれぞれ歪み補正する歪み補正ステップと；位相差補正部が前記歪み補正した第１、第２、第３及び第４の領域映像をそれぞれ位相差補正する位相差補正ステップと；重畳補正部が前記位相差補正した第１、第２、第３及び第４の領域映像を互いに隣接するように重ね合わせて補正する重畳補正ステップと；色補正部が前記重ね合わせて補正した第１、第２、第３及び第４の領域映像を色補正する色補正ステップと；を含む。
【００１４】
本発明の他の一実施形態によれば、前記歪み補正ステップでは、前記歪み補正部が前記第１、第２、第３及び第４の領域映像のそれぞれの広角歪みを補正した後、遠近歪みを補正し、前記位相差補正ステップでは、前記位相差補正部が前記第１、第２、第３及び第４の領域映像の水平基準点を抽出した後、座標回転移動を行い、前記第１、第２、第３及び第４の領域映像の位置を調整し、前記重畳補正ステップでは、前記重畳補正部が前記第１、第２、第３及び第４の領域映像をそれぞれサイズ調整した後、座標移動して重なり合うように位置調整し、前記色補正ステップでは、前記色補正部が前記重ね合わせて補正した重畳映像の明るさ及び色収差を調整することができる。
【００１５】
本発明の他の一実施形態によれば、前記撮影ステップは、前記第１、第２、第３及び第４のカメラモジュールが互いになす角度を調整するステップをさらに含んでいてもよい。
【００１６】
また、本発明の他の一実施形態に係る広角映像提供方法は、第１のカメラモジュールが第１の領域を撮影した第１の領域映像を生成し、第２のカメラモジュールが第１の領域の右側に隣接する第２の領域を撮影した第２の領域映像を生成し、第３のカメラモジュールが前記第１の領域の反対側である第３の領域を撮影した第３の領域映像を生成し、第４のカメラモジュールが前記第２の領域の反対側であり、前記第３の領域の右側に隣接する第４の領域を撮影した第４の領域映像を生成する撮影ステップと；歪み補正部が前記第１、第２、第３及び第４の領域映像をそれぞれ歪み補正する歪み補正ステップと；位相差補正部が前記歪み補正した第１、第２、第３及び第４の領域映像をそれぞれ位相差補正する位相差補正ステップと；重畳補正部が前記位相差補正した第１、第２、第３及び第４の領域映像を互いに隣接するように重ね合わせて補正する重畳補正ステップと；色補正部が前記重ね合わせて補正した第１、第２、第３及び第４の領域映像を色補正する色補正ステップと；を含む。
【００１７】
本発明の他の一実施形態によれば、前記歪み補正ステップでは、前記歪み補正部が前記第１、第２、第３及び第４の領域映像のそれぞれの広角歪みを補正した後、遠近歪みを補正し、前記位相差補正ステップでは、前記位相差補正部が前記第１、第２、第３及び第４の領域映像の水平基準点を抽出した後、座標回転移動を行い、前記第１、第２、第３及び第４の領域映像の位置を調整し、前記重畳補正ステップでは、前記重畳補正部が前記第１、第２、第３及び第４の領域映像をそれぞれサイズ調整した後、座標移動して重なり合うように位置調整し、前記色補正ステップでは、前記色補正部が前記重ね合わせて補正した重畳映像の明るさ及び色収差を調整することができる。
【００１８】
本発明の他の一実施形態によれば、前記撮影ステップは、前記第１及び第２のカメラモジュールが互いになす角度を調整するステップと；前記第３及び第４のカメラモジュールが互いになす角度を調整するステップと；をさらに含んでいてもよい。
【発明の効果】
【００１９】
本発明の実施形態によれば、死角がなく、広角歪み、遠近歪み、明暗差及び色収差のない広角映像を提供することができる。
【００２０】
また、本発明の実施形態によれば、歪みのない広角映像を提供して映像をＶＲ形式で出力することができ、映像を縮小または拡大しても歪みが発生しない。
【００２１】
また、本発明の実施形態によれば、モバイル用カメラ、ＣＣＴＶ用カメラ、Ｗｅｂカメラなどの様々なカメラモジュールを用い、専用プログラムまたは専用モバイルアプリケーションを使用して補正することにより広角映像を提供することができる。
【００２２】
さらに、本発明の実施形態によれば、自動車、ドローン、モバイル、カメラ、船舶、ロケット、医療、防衛、家庭、レジャーなどのカメラが使用される産業全般に適用することにより、広画角の映像を提供することができる。
【図面の簡単な説明】
【００２３】
【図１】本発明の一実施形態に係る広角映像提供システムの構成図である。
【図２】本発明の一実施形態に係る広角映像提供方法を説明するためのフローチャートである。
【図３】本発明の一実施形態に係る第１及び第２のカメラの撮影領域を説明するための図である。
【図４】本発明の一実施形態に係る広角映像提供方法を説明するための第１及び第２の領域映像の補正過程を説明するための図である。
【図５】本発明の一実施形態に係る広角映像提供方法を説明するための第１及び第２の領域映像の補正過程を説明するための図である。
【図６】本発明の一実施形態に係る広角映像提供方法を説明するための第１及び第２の領域映像の補正過程を説明するための図である。
【図７】本発明の一実施形態に係る広角映像提供方法を説明するための第１及び第２の領域映像の補正過程を説明するための図である。
【図８】本発明の一実施形態に係る広角映像提供方法を説明するための第１及び第２の領域映像の補正過程を説明するための図である。
【図９】本発明の一実施形態に係る第１及び第２のカメラの配置位置を示す図である。
【図１０】本発明の一実施形態に係る第１及び第２のカメラの配置位置を示す図である。
【図１１】本発明の一実施形態に係る第１及び第２のカメラの配置位置によるカメラの撮影配置角度を示す図である。
【図１２】本発明の一実施形態に係る第１及び第２のカメラの配置位置によるカメラの撮影配置角度を示す図である。
【図１３】本発明の一実施形態に係る広角映像提供方法を補正するための補正ブースを示す図である。
【図１４】本発明の一実施形態に係る広角映像提供方法を補正するための補正ブースを示す図である
【図１５】本発明の一実施形態に係る広角映像提供方法を補正するための補正ブースを示す図である
【図１６】本発明の一実施形態に係る広角映像提供システムのカメラモジュールの斜視図である。
【図１７】本発明の一実施形態に係る広角映像提供システムのカメラモジュールの展開図である。
【図１８】本発明の一実施形態に係る広角映像提供システムのカメラモジュールの配置及び角度調整方法を説明するための図である。
【図１９】本発明の他の一実施形態に係る広角映像提供システムの構成図である。
【図２０】本発明の他の一実施形態に係る広角映像提供方法を説明するためのフローチャートである。
【図２１】本発明の他の一実施形態に係る広角映像提供方法を説明するための第１、第２、第３及び第４の領域映像の補正過程を説明するための図である。
【図２２】本発明の他の一実施形態に係る広角映像提供方法を説明するための第１、第２、第３及び第４の領域映像の補正過程を説明するための図である。
【図２３】本発明の他の一実施形態に係る広角映像提供方法を説明するための第１、第２、第３及び第４の領域映像の補正過程を説明するための図である。
【図２４】本発明の他の一実施形態に係る広角映像提供方法を説明するための第１、第２、第３及び第４の領域映像の補正過程を説明するための図である。
【図２５】本発明の他の一実施形態に係る広角映像提供方法を説明するための第１、第２、第３及び第４の領域映像の補正過程を説明するための図である。
【図２６】本発明の他の一実施形態に係る広角映像提供方法を補正するための補正ブースを示す図である。
【図２７】本発明の他の一実施形態に係る広角映像提供方法を補正するための補正ブースを示す図である。
【図２８】本発明の他の一実施形態に係る広角映像提供方法を補正するための補正ブースを示す図である。
【図２９】本発明の他の一実施形態に係る第１、第２、第３及び第４のカメラの配置位置による第１、第２、第３及び第４のカメラの撮影配置角度を示す図である。
【図３０】本発明の他の一実施形態に係る広角映像提供システムのカメラモジュールの斜視図である。
【図３１】本発明の他の一実施形態に係る広角映像提供システムのカメラモジュールの展開図である。
【図３２】本発明のまた他の一実施形態に係る広角映像提供方法を説明するための第１、第２、第３及び第４の領域映像の補正過程を説明するための図である。
【図３３】本発明のまた他の一実施形態に係る広角映像提供方法を説明するための第１、第２、第３及び第４の領域映像の補正過程を説明するための図である。
【図３４】本発明のまた他の一実施形態に係る広角映像提供方法を説明するための第１、第２、第３及び第４の領域映像の補正過程を説明するための図である。
【図３５】本発明のまた他の一実施形態に係る広角映像提供方法を説明するための第１、第２、第３及び第４の領域映像の補正過程を説明するための図である。
【図３６】本発明のまた他の一実施形態に係る広角映像提供方法を説明するための第１、第２、第３及び第４の領域映像の補正過程を説明するための図である。
【図３７】本発明のまた他の一実施形態に係る広角映像提供方法を補正するための補正ブースを示す図である。
【図３８】本発明のまた他の一実施形態に係る広角映像提供方法を補正するための補正ブースを示す図である。
【図３９】本発明のまた他の一実施形態に係る広角映像提供方法を補正するための補正ブースを示す図である。
【図４０】本発明のまた他の一実施形態に係る第１、第２、第３及び第４のカメラの配置位置による第１、第２、第３及び第４のカメラの撮影配置角度を示す図である。
【図４１】本発明のまた他の一実施形態に係る広角映像提供システムのカメラモジュールの構成図である。
【図４２】本発明のまた他の一実施形態に係る広角映像提供システムのカメラモジュールの斜視図である。
【図４３】本発明のまた他の一実施形態に係る広角映像提供システムのカメラモジュールの角度調整方法を説明するための図である。
【図４４】本発明のまた他の一実施形態に係る広角映像提供システムのカメラモジュールの展開図である。
【発明を実施するための形態】
【００２４】
以下、添付図面を参照して好ましい本発明の一実施形態について詳細に説明する。但し、実施形態を説明するに当たり、関連する公知の機能又は構成についての具体的な説明が本発明の要旨を不要に曖昧にするおそれがあると判断される場合には、その詳細な説明を省略する。また、図面において、各構成要素のサイズは説明のために誇張することがあり、実際に適用されるサイズを意味するものではない。
【００２５】
図１は、本発明の一実施形態に係る広角映像提供システムの構成図である。以下、図１を参照して、本発明の一実施形態に係る広角映像提供システムの構成について説明する。
【００２６】
図１に示すように、本発明の一実施形態に係る広角映像提供システムは、第１のカメラモジュール１１０、第２のカメラモジュール１２０、補正処理部１３０及び映像保存部１４０を含んで構成されてもよく、また、前記補正処理部１３０は、歪み補正部１３１、位相差補正部１３２、重畳補正部１３３及び色補正部１３４を含んで構成されてもよい。
【００２７】
第１のカメラモジュール１１０は、第１の領域を撮影した第１の領域映像を生成し、第２のカメラモジュール１２０は、前記第１の領域に隣接する第２の領域を撮影した第２の領域映像を生成する。
【００２８】
より具体的には、前記第１のカメラモジュール１１０は、撮影しようとする領域の左側（ｌｅｆｔ）に対応する領域を撮影することによって左側映像である第１の領域映像を生成することができ、前記第２のカメラモジュール１２０は、撮影しようとする領域の右側（ｒｉｇｈｔ）に対応する領域を撮影することによって右側映像である第２の領域映像を生成することができる。
【００２９】
このとき、前記第１のカメラモジュール１１０及び前記第２のカメラモジュール１２０のそれぞれの撮影面は、互いに１１０°〜１３５°の角度で配置されて、前記第１のカメラモジュール１１０及び前記第２カメラモジュール１２０で撮影された映像は、左右１８０°〜２００°および上下９０°〜１１０°の画角を有する映像であり得る。
【００３０】
このように、前記第１及び第２のカメラ１１０、１２０で撮影された映像には、広角歪み及び遠近歪みがあり、２台のカメラを用いて撮影した映像を隣接するように重ね合わせる場合には、位相差、重畳領域、明暗差または色収差が発生する。
【００３１】
したがって、補正処理部１３０は、このように映像の歪み、位相差、重畳領域、明暗差または色収差などを補正する。すなわち、前記補正処理部１３０は、前記第１及び第２のカメラ１１０、１２０で撮影された第１及び第２の領域映像をそれぞれ歪み補正及び位相差補正し、前記位相差補正した第１及び第２の領域映像を重畳補正及び色補正する。
【００３２】
より具体的には、前記補正処理部１３０は、歪み補正部１３１、位相差補正部１３２、重畳補正部１３３及び色補正部１３４を含んで構成されてもよい。
【００３３】
前記歪み補正部１３１は、第１のカメラモジュール１１０で撮影された第１の領域映像の歪みを補正し、位相差補正部１３２は、前記歪み補正した第１及び第２の領域映像をそれぞれ位相差補正する。また、重畳補正部１３３は、前記位相差補正した第１及び第２の領域映像を互いに隣接するように重ね合わせて補正し、前記色補正部１３４は、前記重ね合わせて補正した重畳映像を色補正することができる。
【００３４】
より詳細には、前記歪み補正部１３１は、前記第１及び第２の領域映像のそれぞれの広角歪みを補正した後、遠近歪みを補正し、前記位相差補正部１３２は、前記第１及び第２の領域映像の水平基準点を抽出した後、座標回転移動を行い、前記第１及び第２の領域映像の位置を調整し、前記重畳補正部１３３は、前記第１及び第２の領域映像をそれぞれサイズ調整した後、座標移動して重なり合うように位置調整し、前記色補正部１３４は、前記重ね合わせて補正した重畳映像の明るさ及び色収差を調整することができる。
【００３５】
映像保存部１４０は、このように補正処理部１３０によって補正されて合成された映像を保存することができる。
【００３６】
したがって、本発明の実施形態によれば、死角がなく、広角歪み、遠近歪み、明暗差及び色収差のない広角映像を提供することができる。
【００３７】
図２は、本発明の一実施形態に係る広角映像提供方法を説明するためのフローチャートであり、図３は、本発明の一実施形態に係る第１及び第２のカメラの撮影領域を説明するための図である。
【００３８】
また、図４〜図８は、本発明の一実施形態に係る広角映像提供方法を説明するための第１及び第２の領域映像の補正過程を説明するための図である。
【００３９】
以下、図２〜図８を参照して、本発明の一実施形態に係る広角映像提供方法について説明する。
【００４０】
まず、図２に示すように、左側カメラ（ｌｅｆｔ  ｃａｍｅｒａ）に対応する第１のカメラモジュールは、第１の領域を撮影した第１の領域映像を生成して抽出し（Ｓ２１０）、右側カメラ（ｒｉｇｈｔ  ｃａｍｅｒａ）に対応する第２のカメラモジュールは、第１の領域に隣接する第２の領域を撮影した第２の領域映像を生成して抽出する（Ｓ２１１）。
【００４１】
このように抽出された第１及び第２の領域映像には、遠近歪み及び広角歪みが含まれている。したがって、歪み補正部は、歪み定数（Ｄｉｓｔｏｒｔｉｏｎ  Ｃｏｎｓｔａｎｔ）を参照して、前記第１及び第２の領域映像のそれぞれの広角歪み及び遠近歪みを補正する（Ｓ２２０、Ｓ２２１）。
【００４２】
図４は、このように広角歪み及び遠近歪みが補正された第１及び第２の領域映像を示す。
【００４３】
その後、前記位相差補正部は、位相差定数（Ｐｈａｓｅ  Ｄｉｆｆｅｒｅｎｃｅ  Ｃｏｎｓｔａｎｔ）を参照して、前記広角歪み及び遠近歪みが補正された前記第１及び第２の領域映像の水平基準点を抽出した後、図５に示すように、座標回転移動を行い、前記第１及び第２の領域映像の位置を調整し（Ｓ２３０、Ｓ２３１）、前記座標回転移動及び位置調整された第１及び第２の領域映像をそれぞれ保存する（Ｓ２３５、Ｓ２３６）。
【００４４】
その次、重畳補正部は、重畳定数（Ｏｖｅｒｌａｐ  Ｃｏｎｓｔａｎｔ）を参照して、前記保存された第１及び第２の領域映像のサイズを調整した後、座標移動して、図６に示すように、重なり合うように位置調整する（Ｓ２４０）。
【００４５】
図３を参照すると、位置調整により重なり合う映像は、第１のカメラモジュール１１０が第１の領域を撮影した第１の領域映像１１１と、第２のカメラモジュール１２０が第２の領域を撮影した第２領域映像１２１とからなり、互いに重畳領域３０１が発生し、このような重畳領域３０１は、それぞれ第１のカメラモジュールの補正領域１１２と第２のカメラモジュールの補正領域１２２とに区分される。
【００４６】
色補正部は、図７に示すように、重ね合わせて補正した重畳映像に対して、色定数（Ｃｏｌｏｒ  Ｃｏｎｓｔａｎｔ）を参照して明るさ及び色収差を調整して、図８に示すように、第１及び第２の領域映像が重なり合って合成された映像を生成して保存し（Ｓ２５０、Ｓ２５５）、このように保存された合成映像を出力することができる（Ｓ２６０）。
【００４７】
図９及び図１０は、本発明の一実施形態に係る第１及び第２のカメラの配置位置を示す図であり、図１１及び図１２は、本発明の一実施形態に係る第１及び第２のカメラの配置位置によるカメラの撮影配置角度を示す図である。
【００４８】
また、図１３〜図１５は、本発明の一実施形態に係る広角映像提供方法を補正するための補正ブースを示す図である。
【００４９】
以下、図９〜図１２を参照して、本発明の一実施形態に係る第１及び第２のカメラの配置によるカメラの撮影角度について説明する。
【００５０】
図９に示すように、第１及び第２のカメラが地面に垂直な壁などの側面に配置される場合、図１１に示すように、第１及び第２のカメラの撮影面は互いに１１０°〜１３５°の角度で配置され、前記第１及び第２のカメラと壁は２７°〜３５°の角度で配置されて、当該側面（壁）を除くその他の領域の映像を提供することができる。
【００５１】
また、図１０に示すように、第１及び第２のカメラが天井などの場所のように地面を向くように配置される場合、図１２に示すように、第１及び第２のカメラの撮影面は互いに１１０°〜１３５°の角度で配置され、両側面の全ての面の画像と、前記残りの両側面の一部面の映像とを提供することができる。
【００５２】
図１３は、本発明の一実施形態に係る広角歪み及び遠近歪みを補正するための補正ブース（Ｃａｌｉｂｒａｔｉｏｎ  Ｂｏｏｔｈ）を示し、図１４は、本発明の一実施形態に係る重畳映像を補正するための補正ブース（Ｃａｌｉｂｒａｔｉｏｎ  Ｂｏｏｔｈ）を示す。
【００５３】
また、図１５は、本発明の一実施形態に係る領域映像の明るさ及び色収差を補正するための補正ブースを示す。
【００５４】
したがって、本発明の実施形態によれば、死角がなく、広角歪み、遠近歪み、明暗差及び色収差のない広角映像を提供することができ、歪みのない広角映像を提供して映像をＶＲ形式で出力することができ、映像を縮小または拡大しても歪みが発生しない。
【００５５】
さらに、本発明の実施形態によれば、自動車、ドローン、モバイル、カメラ、船舶、ロケット、医療、防衛、家庭、レジャーなどのカメラが使用される産業全般に適用することにより、広画角の映像を提供することができる。
【００５６】
図１６は、本発明の一実施形態に係る広角映像提供システムのカメラモジュールの斜視図であり、図１７は、本発明の一実施形態に係る広角映像提供システムのカメラモジュールの展開図であり、図１８は、本発明の一実施形態に係る広角映像提供システムのカメラモジュールの配置及び角度調整方法を説明するための図である。
【００５７】
図１６及び図１７を参照すると、本発明の一実施形態に係る第１のカメラモジュール１１０は、第１のレンズモジュール１１１、第１のイメージセンサモジュール１１２及び第１の構造体１１３を含んで構成される。
【００５８】
第１のイメージセンサモジュール１１２は、前記第１のレンズモジュール１１１を介して第１の領域を撮影した第１の領域映像を生成し、第１の構造体１１３は、前記第１のレンズモジュール１１１及び前記第１のイメージセンサモジュール１１２を収納するように構成されてもよい。
【００５９】
同様に、第２のカメラモジュール１２０は、第２のレンズモジュール１２１、第２のイメージセンサモジュール１２２及び第２の構造体１２３を含んで構成され、第２のイメージセンサモジュール１２２は、前記第２のレンズモジュール１２１を介して第２の領域を撮影した第２の領域映像を生成し、第２の構造体１２３は、前記第２のレンズモジュール１２１及び前記第１のイメージセンサモジュール１２２を収納するように構成されてもよい。
【００６０】
この場合、前記第１及び第２の構造体１１３、１２３は、軽量化のためにアルミフレームで構成されてもよい。
【００６１】
また、第１及び第２のリンク部１１５、１２５は、前記第１及び第２のカメラモジュール１１０、１２０の各一方の側にそれぞれ結合され、円形板１５０は、固定板１６０に固定されてモータによって回転し、前記円形板１５０は、各前記第１及び第２のリンク部１１５、１２５が結合されて移動する曲線溝１５１を含むように構成されてもよい。
【００６２】
これにより、第１及び第２のカメラモジュール１１０、１２０は、各前記一方の側に対向する各他方の側が互いにヒンジ結合する構造を有し、前記第１及び第２のリンク部１１５、１２５は、前記円形板１５０の回転により前記曲線溝１５１を移動して、前記第１及び第２のカメラモジュール１１０、１２０によって形成される角度を調整することができる。
【００６３】
このような第１及び第２のカメラモジュール１１０、１２０間の角度を調整する際には、モータを制御して円形板１５０を回転させて、第１及び第２のカメラモジュール１１０、１２０間の角度を調整し、ズームイン及びズームアウトにより最適の映像撮影角度を得ることができる。
【００６４】
一方、図１８を参照すると、第１及び第２のカメラモジュール１１０、１２０の画角に応じて前記第１及び第２のカメラモジュール１１０、１２０の角度を決定することができる。
【００６５】
【数１】
2021519954.tif 000003
【００６６】
（ここで、αは各第１及び第２のカメラモジュールが床面となす角度であり、ａは第１及び第２のカメラモジュールの水平画角である。）
【００６７】
【数２】
2021519954.tif 000004
【００６８】
（ここで、βは各第１及び第２のカメラモジュールのイメージモジュールの角度であり、ｂは第１及び第２のカメラモジュールの垂直画角である。）
【００６９】
本発明の一実施形態によれば、図１６及び図１８に示すように、第１及び第２のカメラモジュール１１０、１２０の配置の際に、式１を用いて、各第１及び第２のカメラモジュール１１０、１２０が床面となす角度を計算することができ、式２を用いて、各第１及び第２のカメラモジュール１１０、１２０のイメージモジュール１１２、１２２の角度を計算して適用することができる。
【００７０】
図１９は、本発明の他の一実施形態に係る広角映像提供システムの構成図である。以下、図１９を参照して、本発明の他の一実施形態に係る広角映像提供システムの構成について説明する。
【００７１】
図１９に示すように、本発明の他の一実施形態に係る広角映像提供システムは、第１のカメラモジュール１１０、第２のカメラモジュール１１５、第３のカメラモジュール１２０、第４のカメラモジュール１２５、補正処理部１３０及び映像保存部１４０を含んで構成されてもよく、また、前記補正処理部１３０は、歪み補正部１３１、位相差補正部１３２、重畳補正部１３３及び色補正部１３４を含んで構成されてもよい。
【００７２】
第１のカメラモジュール１１０は、第１の領域を撮影した第１の領域映像を生成し、第２のカメラモジュール１１５は、前記第１の領域の右側に隣接する第２の領域を撮影した第２の領域映像を生成し、第３のカメラモジュール１２０は、前記第１の領域の下側に隣接する第３の領域を撮影した第３の領域映像を生成し、第４のカメラモジュール１２５は、前記第２の領域の下側及び前記第３の領域の右側に隣接する第４の領域を撮影した第４の領域映像を生成する。
【００７３】
より具体的には、前記第１のカメラモジュール１１０は、撮影しようとする領域の左上（ｕｐ  ｌｅｆｔ）に対応する領域を撮影して、左上の映像である第１の領域映像を生成することができ、前記第２のカメラモジュール１１５は、撮影しようとする領域の右上（ｕｐ  ｒｉｇｈｔ）に対応する領域を撮影して、右上の映像である第２の領域映像を生成することができる。同様に、前記第３のカメラモジュール１２０は、撮影しようとする領域の左下（ｄｏｗｎ  ｌｅｆｔ）に対応する領域を撮影して、左下の映像である第３の領域映像を生成することができ、前記第４のカメラモジュール１２５は、撮影しようとする領域の右下（ｄｏｗｎ  ｒｉｇｈｔ）に対応する領域を撮影して、右下の映像である第４の領域映像を生成することができる。
【００７４】
このように、前記第１、第２、第３及び第４のカメラモジュール１１０、１１５、１２０、１２５で撮影された映像には、広角歪み及び遠近歪みがあり、４台のカメラを用いて撮影した映像を隣接するように重ね合わせる場合は、位相差、重畳領域、明暗差または色収差が発生する。
【００７５】
したがって、補正処理部１３０は、このように映像の歪み、位相差、重畳領域、明暗差または色収差などを補正する。すなわち、前記補正処理部１３０は、前記第１、第２、第３及び第４のカメラモジュール１１０、１１５、１２０、１２５で撮影された第１、第２、第３及び第４の領域映像をそれぞれ歪み補正及び位相差補正し、前記位相差補正した第１、第２、第３及び第４の領域映像を重畳補正及び色補正する。
【００７６】
より具体的には、前記補正処理部１３０は、歪み補正部１３１、位相差補正部１３２、重畳補正部１３３及び色補正部１３４を含んで構成されてもよい。
【００７７】
前記歪み補正部１３１は、第１、第２、第３及び第４の領域映像の歪みを補正し、位相差補正部１３２は、前記歪み補正した第１、第２、第３及び第４の領域映像をそれぞれ位相差補正する。また、重畳補正部１３３は、前記位相差補正した第１、第２、第３及び第４の領域映像を互いに隣接するように重ね合わせて補正し、前記色補正部１３４は、前記重ね合わせて補正した重畳映像を色補正することができる。
【００７８】
より詳細には、前記歪み補正部１３１は、前記第１、第２、第３及び第４の領域映像のそれぞれの広角歪みを補正した後、遠近歪みを補正し、前記位相差補正部１３２は、前記第１、第２、第３及び第４の領域映像の水平基準点を抽出した後、座標回転移動を行い、前記第１、第２、第３及び第４の領域映像の位置を調整し、前記重畳補正部１３３は、前記第１、第２、第３及び第４の領域映像をそれぞれサイズ調整した後、座標移動して重なり合うように位置調整し、前記色補正部１３４は、前記重ね合わせて補正した重畳映像の明るさ及び色収差を調整することができる。
【００７９】
映像保存部１４０は、このように補正処理部１３０によって補正されて合成された映像を保存することができる。
【００８０】
したがって、本発明の実施形態によれば、画角が左右２００°及び上下２００°で死角がなく、広角歪み、遠近歪み、明暗差及び色収差のない広角映像を提供することができる。
【００８１】
図２０は、本発明の他の一実施形態に係る広角映像提供方法を説明するためのフローチャートであり、図２１〜図２５は、本発明の他の一実施形態に係る広角映像提供方法を説明するための第１、第２、第３及び第４の領域映像の補正過程を説明するための図である。
【００８２】
以下、図２０〜図２５を参照して、本発明の他の一実施形態に係る広角映像提供方法について説明する。
【００８３】
まず、図２０に示すように、左上（ｕｐ  ｌｅｆｔ）のカメラに対応する第１のカメラモジュールは、第１の領域を撮影した第１の領域映像を生成して抽出し（Ｓ２１０）、右上（ｕｐ  ｒｉｇｈｔ）のカメラに対応する第２のカメラモジュールは、第１の領域の右側に隣接する第２の領域を撮影した第２の領域映像を生成して抽出する（Ｓ２１１）。
【００８４】
また、左下（ｄｏｗｎ  ｌｅｆｔ）のカメラに対応する第３のカメラモジュールは、第３の領域を撮影した第３の領域映像を生成して抽出し（Ｓ２１２）、右下（ｄｏｗｎ  ｒｉｇｈｔ）のカメラに対応する第４のカメラモジュールは、前記第２の領域の下側及び第３領域の右側に隣接する第２の領域を撮影した第２の領域映像を生成して抽出する（Ｓ２１３）。
【００８５】
このように抽出された第１、第２、第３及び第４の領域映像には、遠近歪み及び広角歪みが含まれている。したがって、歪み補正部は、歪み定数（Ｄｉｓｔｏｒｔｉｏｎ  Ｃｏｎｓｔａｎｔ）を参照して、前記第１、第２、第３及び第４の領域映像のそれぞれの広角歪み及び遠近歪みを補正する（Ｓ２２０、Ｓ２２１、Ｓ２２２、Ｓ２２３）。
【００８６】
図２１は、このように広角歪み及び遠近歪みが補正された第１、第２、第３及び第４の領域映像を示す。
【００８７】
その後、前記位相差補正部は、位相差定数（Ｐｈａｓｅ  Ｄｉｆｆｅｒｅｎｃｅ  Ｃｏｎｓｔａｎｔ）を参照して、前記広角歪み及び遠近歪みが補正された前記第１、第２、第３及び第４の領域映像の水平基準点を抽出した後、図２２に示すように、座標回転移動を行い、前記第１、第２、第３及び第４の領域映像の位置を調整する（Ｓ２３０）。
【００８８】
その次、重畳補正部は、重畳定数（Ｏｖｅｒｌａｐ  Ｃｏｎｓｔａｎｔ）を参照して、前記保存された第１、第２、第３及び第４の領域映像のサイズを調整した後、座標移動して、図２３に示すように、前記第１、第２、第３及び第４の領域映像の間で重なり合うように位置調整する（Ｓ２４０）。
【００８９】
色補正部は、図２４に示すように、重ね合わせて補正した重畳映像に対して、色定数（Ｃｏｌｏｒ  Ｃｏｎｓｔａｎｔ）を参照して明るさ及び色収差を調整して、図２５に示すように、第１、第２、第３及び第４の領域映像が重なり合って合成された映像を生成して保存し（Ｓ２５０、Ｓ２５５）、このように保存された合成映像を出力することができる（Ｓ２６０）。
【００９０】
図２６〜図２８は、本発明の他の一実施形態に係る広角映像提供方法を補正するための補正ブースを示す図である。
【００９１】
図２６は、本発明の他の一実施形態に係る広角歪み及び遠近歪みを補正するための補正ブース（Ｃａｌｉｂｒａｔｉｏｎ  Ｂｏｏｔｈ）を示し、図２７は、本発明の他の一実施形態に係る重畳映像を補正するための補正ブース（Ｃａｌｉｂｒａｔｉｏｎ  Ｂｏｏｔｈ）を示す。
【００９２】
また、図２８は、本発明の他の一実施形態に係る領域映像の明るさ及び色収差を補正するための補正ブースを示す。
【００９３】
したがって、本発明の他の実施形態によれば、死角がなく、広角歪み、遠近歪み、明暗差及び色収差のない広角映像を提供することができ、歪みのない広角映像を提供して映像をＶＲ形式で出力することができ、映像を縮小または拡大しても歪みが発生しない。
【００９４】
さらに、本発明の他の実施形態によれば、自動車、ドローン、モバイル、カメラ、船舶、ロケット、医療、防衛、家庭、レジャーなどのカメラが使用される産業全般に適用することにより、広画角の映像を提供することができる。
【００９５】
図２９は、本発明の他の一実施形態に係る第１、第２、第３及び第４のカメラの配置位置による第１、第２、第３及び第４のカメラの撮影配置角度を示す図である。
【００９６】
以下、図２９を参照して、本発明の他の一実施形態に係る第１、第２、第３及び第４のカメラの配置による第１、第２、第３及び第４のカメラの撮影角度について説明する。
【００９７】
本発明の他の一実施形態によれば、図２９の（ａ）に示すように、第１、第２、第３及び第４のカメラは、死角のない、左右２００°及び上下２００°の広画角を有する正面映像を提供することができる。
【００９８】
また、図２９の（ｂ）に示すように、第１、第２、第３及び第４のカメラが地面に垂直な壁などの側面に配置される場合、当該側面（壁）を除くその他の領域の映像を撮影して提供することができる。
【００９９】
図３０は、本発明の他の一実施形態に係る広角映像提供システムのカメラモジュールの構成図であり、図３１は、本発明の他の一実施形態に係る広角映像提供システムのカメラモジュールの斜視図である。
【０１００】
図３０を参照すると、本発明の他の一実施形態に係る第１、第２、第３及び第４のカメラモジュール１１０、１１５、１２０、１２５は、それぞれレンズモジュール１１１、イメージセンサモジュール１１２及び構造体１１３を含んで構成されてもよい。
【０１０１】
イメージセンサモジュール１１２は、前記レンズモジュール１１１を介して当該領域を撮影した領域映像を生成し、構造体１１３は、前記レンズモジュール１１１及び前記イメージセンサモジュール１１２を収納するように構成されてもよい。
【０１０２】
この場合、前記構造体１１３は、軽量化のためにアルミフレームで構成されてもよい。
【０１０３】
【数３】
2021519954.tif 000005
【０１０４】
（ここで、αは各第１、第２、第３及び第４のカメラモジュール間の角度であり、ａは第１、第２、第３及び第４のカメラモジュールの水平画角である。）
【０１０５】
【数４】
2021519954.tif 000006
【０１０６】
（ここで、βは各第１、第２、第３及び第４のカメラモジュールのイメージモジュールの角度であり、ｂは第１、第２、第３及び第４のカメラモジュールの垂直画角である。）
【０１０７】
本発明の一実施形態によれば、図３１に示すように、第１、第２、第３及び第４のカメラモジュール１１０、１１５、１２０、１２５の配置のために、式３を用いて、各第１、第２、第３及び第４のカメラモジュール１１０、１１５、１２０、１２５間の角度を計算することができ、式４を用いて、各第１、第２、第３及び第４のカメラモジュール１１０、１１５、１２０、１２５のイメージモジュール１１２の角度を計算して配置することができる。
【０１０８】
以下、図１９を参照して、本発明のまた他の一実施形態に係る広角映像提供システムの構成について説明する。
【０１０９】
図１９に示すように、本発明のまた他の一実施形態に係る広角映像提供システムは、第１のカメラモジュール１１０、第２のカメラモジュール１１５、第３のカメラモジュール１２０、第４のカメラモジュール１２５、補正処理部１３０及び映像保存部１４０を含んで構成されてもよく、また、前記補正処理部１３０は、歪み補正部１３１、位相差補正部１３２、重畳補正部１３３及び色補正部１３４を含んで構成されてもよい。
【０１１０】
第１のカメラモジュール１１０は、第１の領域を撮影した第１の領域映像を生成し、第２のカメラモジュール１１５は、前記第１の領域に右側に隣接する第２の領域を撮影した第２の領域映像を生成し、第３のカメラモジュール１２０は、前記第１の領域の反対側である第３の領域を撮影した第３の領域映像を生成し、第４のカメラモジュール１２５は、前記第２の領域の反対側であり、前記第３の領域の左側に隣接する第４の領域を撮影した第４の領域映像を生成する。
【０１１１】
より具体的には、前記第１のカメラモジュール１１０は、正面左側（ｆｒｏｎｔ  ｌｅｆｔ）に対応する領域を撮影して、正面左側の映像である第１の領域映像を生成することができ、前記第２のカメラモジュール１１５は、正面右側（ｆｒｏｎｔ  ｕｐ）に対応する領域を撮影して、正面右側の映像である第２の領域映像を生成することができる。同様に、前記第３のカメラモジュール１２０は、背面左側（ｂａｃｋ  ｌｅｆｔ）に対応する領域を撮影して、背面左側の映像である第３の領域映像を生成することができ、前記第４のカメラモジュール１２５は、背面右側（ｂａｃｋ  ｒｉｇｈｔ）に対応する領域を撮影して、背面右側の映像である第４の領域映像を生成することができる。
【０１１２】
このように、前記第１、第２、第３及び第４のカメラモジュール１１０、１１５、１２０、１２５で撮影された映像には、広角歪み及び遠近歪みがあり、４台のカメラを用いて撮影した映像を隣接するように重ね合わせる場合は、位相差、重畳領域、明暗差または色収差が発生する。
【０１１３】
したがって、補正処理部１３０は、このように映像の歪み、位相差、重畳領域、明暗差または色収差などを補正する。すなわち、前記補正処理部１３０は、前記第１、第２、第３及び第４のカメラモジュール１１０、１１５、１２０、１２５で撮影された第１、第２、第３及び第４の領域映像をそれぞれ歪み補正及び位相差補正し、前記位相差補正した第１、第２、第３及び第４の領域映像を重畳補正及び色補正する。
【０１１４】
より具体的には、前記補正処理部１３０は、歪み補正部１３１、位相差補正部１３２、重畳補正部１３３及び色補正部１３４を含んで構成されてもよい。
【０１１５】
前記歪み補正部１３１は、第１、第２、第３及び第４の領域映像の歪みを補正し、位相差補正部１３２は、前記歪み補正した第１、第２、第３及び第４の領域映像をそれぞれ位相差補正する。また、重畳補正部１３３は、前記位相差補正した第１、第２、第３及び第４の領域映像を互いに隣接するように重ね合わせて補正し、前記色補正部１３４は、前記重ね合わせて補正した重畳映像を色補正することができる。
【０１１６】
より詳細には、前記歪み補正部１３１は、前記第１、第２、第３及び第４の領域映像のそれぞれの広角歪みを補正した後、遠近歪みを補正し、前記位相差補正部１３２は、前記第１、第２、第３及び第４の領域映像の水平基準点を抽出した後、座標回転移動を行い、前記第１、第２、第３及び第４の領域映像の位置を調整し、前記重畳補正部１３３は、前記第１、第２、第３及び第４の領域映像をそれぞれサイズ調整した後、座標移動して重なり合うように位置調整し、前記色補正部１３４は、前記重ね合わせて補正した重畳映像の明るさ及び色収差を調整することができる。
【０１１７】
映像保存部１４０は、このように補正処理部１３０によって補正されて合成された映像を保存することができる。
【０１１８】
したがって、本発明の実施形態によれば、死角がなく、広角歪み、遠近歪み、明暗差及び色収差のない広角映像を提供することができる。
【０１１９】
図３２〜図３６は、本発明のまた他の一実施形態に係る広角映像提供方法を説明するための第１、第２、第３及び第４の領域映像の補正過程を説明するための図である。
【０１２０】
以下、図２０及び図３２〜図３６を参照して、本発明のまた他の一実施形態に係る広角映像提供方法について説明する。
【０１２１】
まず、図２０に示すように、正面左側（ｕｐ  ｌｅｆｔ）のカメラに対応する第１のカメラモジュールは、第１の領域を撮影した第１の領域映像を生成して抽出し（Ｓ２１０）、正面右側（ｕｐ  ｒｉｇｈｔ）のカメラに対応する第２のカメラモジュールは、第１の領域の右側に隣接する第２の領域を撮影した第２の領域映像を生成して抽出する（Ｓ２１１）。
【０１２２】
また、背面左側（ｂａｃｋ  ｌｅｆｔ）のカメラに対応する第３のカメラモジュールは、第３の領域を撮影した第３の領域映像を生成して抽出し（Ｓ２１２）、背面右側（ｂａｃｋ  ｒｉｇｈｔ）のカメラに対応する第４のカメラモジュールは、前記第２の領域の下側及び第３領域の右側に隣接する第２の領域を撮影した第２の領域映像を生成して抽出する（Ｓ２１３）。
【０１２３】
このように抽出された第１、第２、第３及び第４の領域映像には、遠近歪み及び広角歪みが含まれている。したがって、歪み補正部は、歪み定数（Ｄｉｓｔｏｒｔｉｏｎ  Ｃｏｎｓｔａｎｔ）を参照して、前記第１、第２、第３及び第４の領域映像のそれぞれの広角歪み及び遠近歪みを補正する（Ｓ２２０、Ｓ２２１、Ｓ２２２、Ｓ２２３）。
【０１２４】
図３２は、このように広角歪み及び遠近歪みが補正された第１及び第２の領域映像を示す。
【０１２５】
その後、前記位相差補正部は、位相差定数（Ｐｈａｓｅ  Ｄｉｆｆｅｒｅｎｃｅ  Ｃｏｎｓｔａｎｔ）を参照して、前記広角歪み及び遠近歪みが補正された前記第１、第２、第３及び第４の領域映像の水平基準点を抽出した後、図３３に示すように、座標回転移動を行い、前記第１及び第２の領域映像の位置を調整し、同様に、第３及び第４の領域映像の位置をも調整する（Ｓ２３０）。
【０１２６】
その次、重畳補正部は、重畳定数（Ｏｖｅｒｌａｐ  Ｃｏｎｓｔａｎｔ）を参照して、前記保存された第１、第２、第３及び第４の領域映像のサイズを調整した後、座標を移動して、図３４に示すように、重なり合うように位置調整する（Ｓ２４０）。
【０１２７】
色補正部は、図３５に示すように、重ね合わせて補正した重畳映像に対して、色定数（Ｃｏｌｏｒ  Ｃｏｎｓｔａｎｔ）を参照して明るさ及び色収差を調整して、図３６に示すように、第１、第２、第３及び第４の領域映像が重なり合って合成された映像を生成して保存し（Ｓ２５０、Ｓ２５５）、このように保存された合成映像を出力することができる（Ｓ２６０）。
【０１２８】
図３７〜図３９は、本発明のまた他の一実施形態に係る広角映像提供方法を補正するための補正ブースを示す図である。
【０１２９】
図３７は、本発明の一実施形態に係る広角歪み及び遠近歪みを補正するための補正ブース（Ｃａｌｉｂｒａｔｉｏｎ  Ｂｏｏｔｈ）を示し、図３８は、本発明の一実施形態に係る重畳映像を補正するための補正ブース（Ｃａｌｉｂｒａｔｉｏｎ  Ｂｏｏｔｈ）を示す。
【０１３０】
また、図３９は、本発明の一実施形態に係る領域映像の明るさ及び色収差を補正するための補正ブースを示す。
【０１３１】
したがって、本発明の実施形態によれば、死角がなく、広角歪み、遠近歪み、明暗差及び色収差のない広角映像を提供することができ、歪みのない広角映像を提供して映像をＶＲ形式で出力することができ、映像を縮小または拡大しても歪みが発生しない。
【０１３２】
さらに、本発明の実施形態によれば、自動車、ドローン、モバイル、カメラ、船舶、ロケット、医療、防衛、家庭、レジャーなどのカメラが使用される産業全般に適用することにより、広画角の映像を提供することができる。
【０１３３】
図４０は、本発明の一実施形態に係る第１、第２、第３及び第４のカメラの配置位置による第１、第２、第３及び第４のカメラの撮影配置角度を示す図である。
【０１３４】
以下、図４０を参照して、本発明の一実施形態に係る第１、第２、第３及び第４のカメラの配置による第１、第２、第３及び第４のカメラの撮影角度について説明する。
【０１３５】
図４０の（ａ）に示すように、第１、第２、第３及び第４のカメラが床と天井を除く領域において死角のない、左右３６０°及び上下９０°〜１００°の広画角を有する正面映像を提供することができる。
【０１３６】
また、図４０の（ｂ）に示すように、第１、第２、第３及び第４のカメラが地面に垂直な壁などの側面に配置される場合、床と天井を除くその他の領域映像を撮影して提供することができる。
【０１３７】
図４１は、本発明の一実施形態に係る広角映像提供システムのカメラモジュールの構成図であり、図４２は、本発明の一実施形態に係る広角映像提供システムのカメラモジュールの斜視図である。
【０１３８】
また、図４３は、本発明の一実施形態に係る広角映像提供システムのカメラモジュールの角度調整方法を説明するための図であり、図４４は、本発明の一実施形態に係る広角映像提供システムのカメラモジュールの展開図である。
【０１３９】
図４１及び図４２を参照すると、本発明の一実施形態に係る第１、第２、第３及び第４のカメラモジュール１１０、１１５、１２０、１２５は、それぞれのレンズモジュール１１１、イメージセンサモジュール１１２及び構造体１１３を含んで構成されてもよい。
【０１４０】
イメージセンサモジュール１１２は、前記レンズモジュール１１１を介して当該領域を撮影した領域映像を生成し、構造体１１３は、前記レンズモジュール１１１及び前記イメージセンサモジュール１１２を収納するように構成されてもよい。
【０１４１】
この場合、前記構造体１１３は、軽量化のためにアルミフレームで構成されてもよく、本発明の一実施形態に係る固定型広角映像提供システムは、第１、第２、第３及び第４のカメラモジュール１１０、１１５、１２０、１２５が４面に配置されるように固定されており、３６０°を撮影する正方形の撮影システムとして構成されてもよい。
【０１４２】
また、図４３及び図４４に示すように、第１及び第２のリンク部１５１、１５２は、前記第１及び第２のカメラモジュール１１０、１１５の各一方の側にそれぞれ結合され、同様に、第３及び第４のリンク部１５３、１５４は、前記第３及び第４のカメラモジュール１２０、１２５の各一方の側にそれぞれ結合されており、円形板１５０は、固定板１６０、１６１の間に固定されてモータによって回転するように構成されてもよい。
【０１４３】
また、前記円形板１５０には、各前記第１、第２、第３及び第４のリンク部１５１、１５２が結合されて移動する曲線溝を含むように構成されてもよい。
【０１４４】
これにより、第１及び第２のカメラモジュール１１０、１１５は、各前記一方の側に対向する各他方の側が互いにヒンジ結合する構造を有し、前記第１及び第２のリンク部１５１、１５２は、前記円形板１５０の回転により前記曲線溝を移動し、同様に、第３及び第４のカメラモジュール１２０、１２５は、各前記一方の側に対向する各他方の側が互いにヒンジ結合する構造を有し、前記第３及び第４のリンク部１５３、１５４は、前記円形板１５０の回転により前記曲線溝を移動することができる。
【０１４５】
したがって、本発明の一実施形態によれば、前記円形板１５０の回転により前記第１、第２、第３及び第４のカメラモジュール１１０、１１５、１２０、１２５によって形成される角度を調整することができる。
【０１４６】
このような第１、第２、第３及び第４のカメラモジュール１１０、１１５、１２０、１２５間の角度を調整する際には、モータを制御して前記円形板１５０を回転させて、第１、第２、第３及び第４のカメラモジュール１１０、１１５、１２０、１２５間の角度を調整し、ズームイン及びズームアウトにより最適の映像撮影範囲を得ることができる。
【０１４７】
一方、本発明によれば、第１、第２、第３及び第４のカメラモジュール１１０、１１５、１２０、１２５の画角に応じて前記第１、第２、第３及び第４のカメラモジュール１１０、１１５、１２０、１２５の角度を決定することができる。
【０１４８】
【数５】
2021519954.tif 000007
【０１４９】
（ここで、αは各第１、第２、第３及び第４のカメラモジュール間の角度であり、ａは第１、第２、第３及び第４のカメラモジュールの水平画角である。）
【０１５０】
【数６】
2021519954.tif 000008
【０１５１】
（ここで、βは各第１、第２、第３及び第４のカメラモジュールのイメージモジュールの角度であり、ｂは第１、第２、第３及び第４のカメラモジュールの垂直画角である。）
【０１５２】
本発明の一実施形態によれば、図４３に示すように、第１、第２、第３及び第４のカメラモジュール１１０、１１５、１２０、１２５の配置のために式１を用いて、各第１、第２、第３及び第４のカメラモジュール１１０、１１５、１２０、１２５間の角度を計算することができ、式２を用いて、各第１、第２、第３及び第４のカメラモジュール１１０、１１５、１２０、１２５のイメージモジュール１１２の角度を計算して配置することができる。
【０１５３】
前述したような本発明の詳細な説明では具体的な実施形態に関して説明した。しかしながら、本発明の範疇を逸脱しない範囲内で様々な変形が可能である。本発明の技術的思想は本発明の前述した実施形態に限定されて定めてならず、特許請求の範囲のみではなく、この特許請求の範囲と均等なものにより定められなければならない。
【図１】
2021519954.tif 000009
【図２】
2021519954.tif 000010
【図３】
2021519954.tif 000011
【図４】
2021519954.tif 000012
【図５】
2021519954.tif 000013
【図６】
2021519954.tif 000014
【図７】
2021519954.tif 000015
【図８】
2021519954.tif 000016
【図９】
2021519954.tif 000017
【図１０】
2021519954.tif 000018
【図１１】
2021519954.tif 000019
【図１２】
2021519954.tif 000020
【図１３】
2021519954.tif 000021
【図１４】
2021519954.tif 000022
【図１５】
2021519954.tif 000023
【図１６】
2021519954.tif 000024
【図１７】
2021519954.tif 000025
【図１８】
2021519954.tif 000026
【図１９】
2021519954.tif 000027
【図２０】
2021519954.tif 000028
【図２１】
2021519954.tif 000029
【図２２】
2021519954.tif 000030
【図２３】
2021519954.tif 000031
【図２４】
2021519954.tif 000032
【図２５】
2021519954.tif 000033
【図２６】
2021519954.tif 000034
【図２７】
2021519954.tif 000035
【図２８】
2021519954.tif 000036
【図２９】
2021519954.tif 000037
【図３０】
2021519954.tif 000038
【図３１】
2021519954.tif 000039
【図３２】
2021519954.tif 000040
【図３３】
2021519954.tif 000041
【図３４】
2021519954.tif 000042
【図３５】
2021519954.tif 000043
【図３６】
2021519954.tif 000044
【図３７】
2021519954.tif 000045
【図３８】
2021519954.tif 000046
【図３９】
2021519954.tif 000047
【図４０】
2021519954.tif 000048
【図４１】
2021519954.tif 000049
【図４２】
2021519954.tif 000050
【図４３】
2021519954.tif 000051
【図４４】
2021519954.tif 000052
【国際調査報告】
2021519954.tif 000053
2021519954.tif 000054
2021519954.tif 000055
2021519954.tif 000056